(57)【要約】【課題】  通話装置のユーザが着信時から通話を開始するまでの期間に流れる音楽を十分に楽しむことを可能にする通話装置を提供する。【解決手段】  制御部１ｃはベースバンド処理部１ｂから着信信号を受けると、メロディ情報格納部１ｄに格納されているメロディ情報を音源部１ｅに供給する。音源部１ｅは、メロディ情報に応じたメロディ信号の出力を開始する。着信メロディ用スピーカー１ｆは、メロディ信号に応じたメロディの出力を開始する。制御部１ｃは、操作部１ｋによって通話開始指示が受け付けられると、ベースバンド処理部１ｂにベースバンド処理を開始させ、重畳部１ｇおよび重畳部１ｉとを動作させる。重畳部１ｇは、ベースバンド処理部１ｂから供給された音声信号に音源部１ｅから供給されたメロディ信号を重畳する。音声スピーカー１ｈは、重畳部１ｇによって生成された重畳音を出力する。【選択図】      図２
2005260574.tif 000002
【特許請求の範囲】
【請求項１】
所定時間のメロディを示すメロディ情報を格納する通話装置側メロディ情報格納部と、
着信信号および発信者の音声を示す音声信号とを受信する通話装置側受信部と、
ユーザからの通話開始指示を受け付ける通話開始指示入力部と、
前記通話装置側受信部によって前記着信信号が受信された際に、前記通話装置側メロディ情報格納部に格納されたメロディ情報による所定時間のメロディの出力を開始し、該所定時間のメロディを出力している間に前記通話開始指示入力部によって前記通話開始指示が受け付けられると、前記所定時間のメロディの中で未出力のメロディの出力および前記通話装置側受信部によって受信された音声信号によって示された音声の出力を開始する通話装置側出力部とを含む通話装置。
【請求項２】
請求項１に記載の通話装置において、
前記通話装置側出力部は、前記通話開始指示入力部によって前記通話開始指示が受け付けられた後に出力するメロディの音量を、前記通話開始指示入力部によって前記通話開始指示が受け付けられる前に出力されたメロディの音量より小さくする、通話装置。
【請求項３】
請求項１または２に記載の通話装置において、
前記通話装置側出力部は、
前記所定時間のメロディを出力している間に前記通話開始指示入力部によって前記通話開始指示が受け付けられた際に、前記所定時間のメロディの中で未出力のメロディを前記通話装置側受信部によって受信された音声信号によって示された音声に重畳する発信側音声重畳部と、
前記発信側音声重畳部によって生成された重畳音を出力する重畳音出力部とを含む、通話装置。
【請求項４】
請求項１または２に記載の通話装置において、
前記通話装置側出力部は、前記所定のメロディを出力するメロディ出力部と、前記通話装置側受信部によって受信された音声信号によって示された音声を出力する音声出力部とを含む、通話装置。
【請求項５】
受信側通話装置を指定した発信信号を発信側通話装置から受け付けた際に、前記発信信号によって指定された受信側通話装置に着信信号を送信し、かつ、前記発信側通話装置に所定のメロディを示すメロディ信号を供給する通話制御システムであって、
所定時間のメロディを示すメロディ情報を格納するシステム側メロディ情報格納部と、
前記発信信号を受け付ける発信信号受付部と、
前記発信信号受付部によって前記発信信号が受け付けられた際に、該発信信号によって指定された受信側通話装置に着信信号を送信する着信信号送信部と、
前記受信側通話装置から供給された音声信号を受信する受信側音声信号受信部と、
前記着信信号送信部によって前記着信信号が送信された際に、前記発信側通話装置に対して、前記システム側メロディ情報格納部に格納されたメロディ情報によって示された所定時間のメロディを示すメロディ信号の送信を開始し、前記メロディ信号を送信している間に前記音声信号受信部によって前記受信側通話装置から供給された音声信号が受信された際に、前記発信側通話装置に対して、前記メロディ信号の中で未送信部分のメロディ信号を前記受信側通話装置から供給された音声信号に重畳した重畳音信号の送信を開始する発信側通話装置向け送信部とを含む通話制御システム。
【請求項６】
請求項５に記載の通話制御システムにおいて、
前記発信側通話装置向け送信部は、前記音声信号受信部によって前記受信側通話装置から供給された音声信号が受信された後に出力するメロディ信号によって示されるメロディの音量を、前記音声信号受信部によって前記受信側通話装置から供給された音声信号が受信される前に出力されたメロディ信号によって示されるメロディの音量より小さくする、通話制御システム。
【請求項７】
請求項５または６に記載の通話制御システムにおいて、
前記発信側通話装置向け送信部は、
前記メロディ信号を送信している間に前記受信側音声信号受信部によって前記受信側通話装置から供給された音声信号が受信された際に、前記メロディ信号の中で未送信部分のメロディ信号を前記受信側通話装置から供給された音声信号に重畳して重畳音信号を生成する受信側音声重畳部と、
前記受信側音声重畳部によって生成された重畳音信号を前記発信側通話装置に送信する受信側音声信号送信部とを含む、通話制御システム。
【請求項８】
請求項５ないし７のいずれか１項に記載の通話制御システムにおいて、
前記メロディ情報は、前記受信側通話装置のユーザによって任意に設定され、
前記所望のメロディの曲名または前記所望のメロディの購入先を前記発信側通話装置に送信するメロディ関連情報送信部をさらに含む、通話制御システム。
【請求項９】
請求項１または２に記載の通話装置と、前記通話装置を受信側通話装置として用いる請求項５または６に記載の通話制御システムとを含む通話管理システムであって、
前記通話装置側メロディ情報格納部は、前記メロディ情報として、前記システム側メロディ情報格納部に格納されたメロディ情報と同一のメロディ情報を格納する、通話管理システム。
【請求項１０】
請求項３に記載の通話装置と、前記通話装置を受信側通話装置として用いる請求項５または６に記載の通話制御システムとを含む通話管理システムにおいて、
前記受信側通話装置は、
前記通話開始指示入力部によって前記通話開始指示が受け付けられた際に、受信側の音声を受け付ける受信側音声受付部と、
前記通話装置側出力部が前記所定時間のメロディを出力している間に前記通話開始指示入力部によって前記通話開始指示が受け付けられた際に前記所定時間のメロディの中で前記通話装置側出力部から未出力のメロディを前記受信側音声受付部によって受け付けられた受信側の音声に重畳する受信者側音声重畳部と、
前記受信側音声重畳部の出力を前記通話制御システムに送信する受信側音声信号送信部とをさらに含み、
前記システム側メロディ情報格納部は、前記メロディ情報として、前記通話装置側メロディ情報格納部に格納されたメロディ情報と同一のメロディ情報を格納し、
前記受信側音声信号受信部は、前記受信側音声信号送信部から出力される受信側音声重畳部の出力を受信し、
前記発信側通話装置向け送信部は、前記所定時間のメロディを送信している間に前記音声信号受信部によって前記受信側音声重畳部の出力が受信された際に、前記発信側通話装置に対して、前記受信側音声重畳部の出力を送信する、通話管理システム。
【請求項１１】
請求項１または２に記載の通話装置と、前記通話装置を受信側通話装置として用いる請求項７に記載の通話制御システムとを含む通話管理システムにおいて、
前記通話制御システムは、
発信者側の音声を示す音声信号を受け付ける発信者側音声受付部と、
前記発信側通話装置向け送信部が前記所定時間のメロディを前記発信側通話装置に送信している間に前記受信側音声信号受信部によって前記受信側通話装置から供給された音声信号が受信された際に、前記所定時間のメロディの中で未送信のメロディを前記発信側通話装置から供給された音声信号に重畳する発信者側音声重畳部と、
前記受信者側通話装置に対して、前記発信者側音声重畳部によって生成された重畳音を示す重畳音信号を送信する発信者側重畳信号送信部とをさらに含み、
前記通話装置側メロディ情報格納部は、前記メロディ情報として、前記システム側メロディ情報格納部に格納されたメロディ情報と同一のメロディ情報を格納し、
前記通話装置側受信部は、前記発信者側重畳信号送信部から送信された重畳音信号を受信し、
前記通話装置側出力部は、前記所定時間のメロディを出力している間に前記通話開始指示入力部によって前記通話開始指示が受け付けられた際に、前記通話装置側受信部によって受信された重畳音信号に基づいて前記所定時間のメロディの中で未出力のメロディの出力および前記通話装置側受信部によって受信された音声信号によって示された音声の出力を開始する、通話管理システム。
【請求項１２】
請求項３に記載の通話装置と、前記通話装置を受信側通話装置として用いる請求項７に記載の通話制御システムとを含む通話管理システムであって、
前記通話装置側メロディ情報格納部が、前記メロディ情報として、前記システム側メロディ情報格納部に格納されたメロディ情報と同一のメロディ情報を格納する、通話管理システム。
【請求項１３】
着信信号を受信した際に所定のメロディを出力する受信側通話装置を指定した発信信号を発信側通話装置から受け付けた際に、前記発信信号によって指定された受信側通話装置に着信信号を送信し、かつ、前記発信側通話装置に前記所定のメロディを示すメロディ信号を供給する通話制御システムであって、
前記所定のメロディを示すメロディ情報を格納するシステム側メロディ情報格納部と、
前記発信信号を受け付ける発信信号受付部と、
前記発信信号受付部によって前記発信信号が受け付けられた際に、該発信信号によって指定された受信側通話装置に着信信号を送信する着信信号送信部と、
前記着信信号送信部からの前記着信信号の送信に同期して、前記発信側通話装置に対して、前記システム側メロディ情報格納部に格納されたメロディ情報によって示された所定時間のメロディを示すメロディ信号の送信を開始する発信側通話装置向け送信部とを含む通話制御システム。
【請求項１４】
着信信号を受信する着信信号受信ステップと、
前記着信信号受信ステップで前記着信信号を受信した際に、通話装置側メロディ情報格納部に格納された所定時間のメロディを示すメロディ情報による所定時間のメロディの出力を開始するメロディ出力開始ステップと、
ユーザからの通話開始指示を受け付ける通話開始指示入力ステップと、
前記通話開始指示入力ステップで前記通話開始指示を受け付けた際に、発信者の音声を示す音声信号を受信する音声信号受信ステップと、
前記メロディ出力開始ステップで所定時間のメロディを出力している間に前記通話開始指示入力ステップで前記通話開始指示を受け付けられると、前記所定時間のメロディの中で未出力のメロディの出力および前記音声信号受信ステップで受信した音声信号によって示された音声の出力を開始する音声メロディ出力開始ステップとを含む通話制御方法。
【請求項１５】
請求項１４に記載の通話制御方法において、
前記音声メロディ出力開始ステップは、前記通話開始指示入力ステップで前記通話開始指示を受け付けた後に出力するメロディの音量を、前記通話開始指示入力ステップで前記通話開始指示を受け付ける前に出力されたメロディの音量より小さくする、通話制御方法。
【請求項１６】
請求項１４または１５に記載の通話制御方法において、
前記音声メロディ出力開始ステップは、
前記所定時間のメロディを出力している間に前記通話開始指示入力ステップで前記通話開始指示を受け付けた際に、前記所定時間のメロディの中で未出力のメロディを前記音声信号受信ステップで受信した音声信号によって示された音声に重畳する発信側音声重畳ステップと、
前記発信側音声重畳ステップで生成した重畳音を出力する重畳音出力ステップとを含む、通話制御方法。
【請求項１７】
受信側通話装置を指定した発信信号を発信側通話装置から受け付けた際に、前記発信信号によって指定された受信側通話装置に着信信号を送信し、かつ、前記発信側通話装置に所定のメロディを示すメロディ信号を供給する通話制御システムが行う通話制御方法であって、
前記発信信号を受け付ける発信信号受付ステップと、
前記発信信号受付ステップで前記発信信号を受け付けた際に、該発信信号によって指定された受信側通話装置に着信信号を送信する着信信号送信ステップと、
前記着信信号送信ステップで前記着信信号を送信した際に、前記発信側通話装置に対して、システム側メロディ情報格納部に格納された所定時間のメロディを示すメロディ情報によって示された所定時間のメロディを示すメロディ信号の送信を開始するメロディ信号送信開始ステップと、
前記受信側通話装置から供給された音声信号を受信する受信側音声信号受信ステップと、
前記メロディ信号送信開始ステップで前記メロディ信号を送信している間に前記受信側音声信号受信ステップで前記受信側通話装置から供給された音声信号を受信した際に、前記発信側通話装置に対して、前記メロディ信号の中で未送信部分のメロディ信号を前記受信側通話装置から供給された音声信号に重畳した重畳音信号の送信を開始する発信側通話装置向け送信ステップとを含む通話制御方法。
【請求項１８】
請求項１７に記載の通話制御方法において、
前記発信側通話装置向け送信ステップは、前記音声信号受信ステップで前記受信側通話装置から供給された音声信号が受信された後に出力するメロディ信号によって示されるメロディの音量を、前記音声信号受信ステップで前記受信側通話装置から供給された音声信号が受信されたメロディ信号によって示されるメロディの音量より小さくする、通話制御方法。
【請求項１９】
請求項１７または１８に記載の通話制御方法において、
前記発信側通話装置向け送信ステップは、
前記メロディ信号を送信している間に前記受信側音声信号受信ステップで前記受信側通話装置から供給された音声信号を受信した際に、前記メロディ信号の中で未送信部分のメロディ信号を前記受信側通話装置から供給された音声信号に重畳して重畳音信号を生成する受信側音声重畳ステップと、
前記受信側音声重畳ステップで生成された重畳音信号を前記発信側通話装置に送信する受信側音声信号送信ステップとを含む、通話制御方法。
【請求項２０】
請求項１７ないし１９のいずれか１項に記載の通話制御方法において、
前記メロディ情報は、前記受信側通話装置のユーザによって任意に設定され、
前記所望のメロディの曲名または前記所望のメロディの購入先を前記発信側通話装置に送信するメロディ関連情報送信ステップをさらに含む、通話制御方法。
【請求項２１】
請求項１４または１５に記載の通話制御方法を実行する通話装置と、前記通話装置を前記受信側通話装置として用いる請求項１７または１８に記載の通話制御方法を実行する通話制御システムとを含む通話管理システムが行う通話制御方法であって、
前記通話装置側メロディ情報格納部は、前記メロディ情報として、前記システム側メロディ情報格納部に格納されたメロディ情報と同一のメロディ情報を格納する、通話制御方法。
【請求項２２】
請求項１６に記載の通話制御方法を実行する通話装置と、前記通話装置を前記受信側通話装置として用いる請求項１７または１８に記載の通話制御方法を実行する通話制御システムとを含む通話管理システムが行う通話制御方法であって、
前記通話開始指示入力ステップで前記通話開始指示が受け付けられた際に、受信側の音声を受け付ける受信側音声受付ステップと、
前記メロディ出力開始ステップで所定時間のメロディを出力している間に前記通話開始指示入力ステップで前記通話開始指示を受け付けた際に前記所定時間のメロディの中で未出力のメロディを前記受信側音声受付ステップで受け付けた受信側の音声に重畳する受信者側音声重畳ステップと、
前記受信側音声重畳ステップで生成した出力を前記通話制御システムに送信する受信側音声信号送信ステップとをさらに含み、
前記システム側メロディ情報格納部は、前記メロディ情報として、前記通話装置側メロディ情報格納部に格納されたメロディ情報と同一のメロディ情報を格納し、
前記受信側音声信号受信ステップは、前記受信側音声信号送信ステップで送信される受信側音声重畳ステップの出力を受信し、
前記発信側通話装置向け送信ステップは、前記所定時間のメロディを送信している間に前記音声信号受信ステップで前記受信側音声重畳ステップの出力を受信した際に、前記発信側通話装置に対して、前記受信側音声重畳ステップの出力を送信する、通話制御方法。
【請求項２３】
請求項１４または１５に記載の通話制御方法を実行する通話装置と、前記通話装置を前記受信側通話装置として用いる請求項１９に記載の通話制御方法を実行する通話制御システムとを含む通話管理システムが行う通話制御方法であって、
発信者側の音声を示す音声信号を受け付ける発信者側音声受付ステップと、
前記発信側通話装置向け送信ステップが前記所定時間のメロディを前記発信側通話装置に送信している間に前記受信側音声信号受信ステップで前記受信側通話装置から供給された音声信号を受信した際に、前記所定時間のメロディの中で未送信のメロディを前記発信側通話装置から供給された音声信号に重畳する発信者側音声重畳ステップと、
前記受信者側通話装置に対して、前記発信者側音声重畳ステップで生成した重畳音を示す重畳音信号を送信する発信者側重畳信号送信ステップとをさらに含み、
前記通話装置側メロディ情報格納部は、前記メロディ情報として、前記システム側メロディ情報格納部に格納されたメロディ情報と同一のメロディ情報を格納し、
前記通話装置側受信ステップは、前記発信者側重畳信号送信ステップで送信された重畳音信号を受信し、
前記通話装置側出力ステップは、前記所定時間のメロディを出力している間に前記通話開始指示入力ステップで前記通話開始指示を受け付けた際に、前記通話装置側受信ステップで受信した重畳音信号に基づいて前記所定時間のメロディの中で未出力のメロディの出力および前記通話装置側受信ステップで受信した音声信号によって示された音声の出力を開始する、通話制御方法。
【請求項２４】
請求項１６に記載の通話制御方法を実行する通話装置と、前記通話装置を前記受信側通話装置として用いる請求項１９に記載の通話制御方法を実行する通話制御システムとを含む通話管理システムが行う通話制御方法であって、
前記通話装置側メロディ情報格納部が、前記メロディ情報として、前記システム側メロディ情報格納部に格納されたメロディ情報と同一のメロディ情報を格納する、通話制御方法。
【請求項２５】
着信信号を受信した際に所定のメロディを出力する受信側通話装置を指定した発信信号を発信側通話装置から受け付けた際に、前記発信信号によって指定された受信側通話装置に着信信号を送信し、かつ、前記発信側通話装置に前記所定のメロディを示すメロディ信号を供給する通話制御システムが行う通話制御方法であって、
前記発信信号を受け付ける発信信号受付ステップと、
前記発信信号受付ステップで前記発信信号を受け付けられた際に、該発信信号によって指定された受信側通話装置に着信信号を送信する着信信号送信ステップと、
前記着信信号送信ステップでの前記着信信号の送信に同期して、前記発信側通話装置に対して、システム側メロディ情報格納部に格納された所定のメロディを示すメロディ情報に応じたメロディ信号の送信を開始する発信側通話装置向け送信ステップとを含む通話制御方法。
【発明の詳細な説明】
【技術分野】
【０００１】
本発明は、通話装置、通話制御システム、通話管理システムおよび通話制御方法に関する。
【背景技術】
【０００２】
従来、着信時から通話が開始されるまでの間、着信側の携帯電話端末のユーザによって設定された音楽（以下「着信メロディ」と称する。）が出力される携帯電話端末がある。また、発信時から通話が開始されるまでの間、着信側の携帯電話端末のユーザによって設定された音楽（以下「リングバックメロディ」と称する。）が出力される携帯電話端末がある。
【０００３】
携帯電話端末のユーザは、自らが好むメロディを着信メロディまたはリングバックメロディとして設定する。着信メロディまたはリングバックメロディを出力する携帯電話端末を所有するユーザは、通話が始めるまでの間、音楽を楽しむことが可能となる。
【０００４】
また、通話内容を示す音声信号に楽音信号を重畳することによって、通話しながら音楽を楽しむことが可能な通話装置が提案されている。
【０００５】
例えば、特許文献１（特開２００２−１０１２０６号公報）には、音声情報に音楽等の音声広告情報を重畳して出力する電話通信サービス管理装置が記載されている。なお、音声広告情報は、電話通信サービス管理装置によって設定される。
【０００６】
また、特許文献２（特開２００２−３４４５７１号公報）には、音声信号に音楽信号を重畳して出力する通話装置が記載されている。なお、音楽信号は、携帯電話端末のユーザによって設定される。
【特許文献１】特開２００２−１０１２０６号公報
【特許文献２】特開２００２−３４４５７１号公報
【発明の開示】
【発明が解決しようとする課題】
【０００７】
着信メロディまたはリングバックメロディは、携帯電話端末のユーザにある程度の楽しさを与えるが、着信メロディまたはリングバックメロディが携帯電話端末のユーザに更なる楽しさを与えることが望まれている。
【０００８】
例えば、着信メロディおよびリングバックメロディが出力される時間は、着信時から通話を開始するまでの短い時間である。このため、携帯電話端末のユーザは、受信側のユーザによって設定された音楽を、着信時から通話を開始するまでの短い時間でしか楽しむことができない。
【０００９】
また、特許文献１に記載の電話通信サービス管理装置では、音声とともに出力される音楽は、通話者と関係のない電話通信サービス管理装置によって提供されるので、受信側の通話者が好まない音楽が音声とともに出力される可能性がある。
【００１０】
さらに、特許文献１に記載の電話通信サービス管理装置では、着信メロディまたはリングバックメロディが設定された場合、着信時から通話を開始するまでの間に出力される音楽と、通話中に出力される音楽とが異なってしまい、携帯電話端末のユーザは、受信側のユーザによって設定された音楽（着信メロディまたはリングバックメロディ）を、着信時から通話を開始するまでの短い時間でしか楽しむことができない。
【００１１】
特許文献２に記載の通話装置では、着信メロディまたはリングバックメロディが設定された場合、着信時から通話を開始するまでに出力される音楽と、通話中に出力される音楽とが異なってしまう可能性があり、携帯電話端末のユーザは、着信メロディまたはリングバックメロディを、着信時から通話を開始するまでの短い時間でしか楽しむことができない。
【００１２】
また、リングバックメロディを設定した受信者が、発信者がリングバックメロディをどこまで聞いたか判断できないという問題もあった。この場合、受信者は、発信者がリングバックメロディを十分に楽しんだのか否か判断することができない。
【００１３】
本発明の目的は、通話装置のユーザが着信時から通話を開始するまでの期間に流れる音楽を十分に楽しむことを可能にする通話装置、通話制御システムおよび通話制御方法を提供することである。
【課題を解決するための手段】
【００１４】
上記の目的を達成するために、本発明の通話装置は、所定時間のメロディを示すメロディ情報を格納する通話装置側メロディ情報格納部と、着信信号および発信者の音声を示す音声信号とを受信する通話装置側受信部と、ユーザからの通話開始指示を受け付ける通話開始指示入力部と、前記通話装置側受信部によって前記着信信号が受信された際に、前記通話装置側メロディ情報格納部に格納されたメロディ情報による所定時間のメロディの出力を開始し、前記所定時間のメロディを出力している間に前記通話開始指示入力部によって前記通話開始指示が受け付けられると、前記所定時間のメロディの中で未出力のメロディの出力および前記通話装置側受信部によって受信された音声信号によって示された音声の出力を開始する通話装置側出力部とを含む。
【００１５】
また、本発明の通話制御方法は、着信信号を受信する着信信号受信ステップと、前記着信信号受信ステップで前記着信信号を受信した際に、通話装置側メロディ情報格納部に格納された所定時間のメロディを示すメロディ情報による所定時間のメロディの出力を開始するメロディ出力開始ステップと、ユーザからの通話開始指示を受け付ける通話開始指示入力ステップと、前記通話開始指示入力ステップで前記通話開始指示を受け付けた際に、発信者の音声を示す音声信号を受信する音声信号受信ステップと、前記メロディ出力開始ステップで所定時間のメロディを出力している間に前記通話開始指示入力ステップで前記通話開始指示を受け付けた際に、前記所定時間のメロディの中で未出力のメロディの出力および前記音声信号受信ステップで受信した音声信号によって示された音声の出力を開始する音声メロディ出力開始ステップとを含む。
【００１６】
上記の発明によれば、所定時間のメロディが出力されている間に通話開始指示が受け付けられた際に、所定時間のメロディの中で未出力のメロディの出力と発信者の音声の出力とが開始される。所定時間のメロディの出力は、着信信号が受信された際に開始される。このため、所定時間のメロディは、通話が開始されても最後まで出力される。したがって、通話装置のユーザは、着信時から出力される所定時間のメロディを最大限に楽しむことができる。
【００１７】
また、上記通話装置において、前記通話装置側出力部は、前記通話開始指示入力部によって前記通話開始指示が受け付けられた後に出力するメロディの音量を、前記通話開始指示入力部によって前記通話開始指示が受け付けられる前に出力されたメロディの音量より小さくすることが望ましい。
【００１８】
また、上記通話制御方法において、前記音声メロディ出力開始ステップは、前記通話開始指示入力ステップで前記通話開始指示を受け付けた後に出力するメロディの音量を、前記通話開始指示入力ステップで前記通話開始指示を受け付ける前に出力されたメロディの音量より小さくすることが望ましい。
【００１９】
上記の発明によれば、所定時間のメロディが、会話の妨げになることを防止することが可能となる。
【００２０】
また、上記通話装置において、前記通話装置側出力部は、前記所定時間のメロディを出力している間に前記通話開始指示入力部によって前記通話開始指示が受け付けられた際に、前記所定時間のメロディの中で未出力のメロディを前記通話装置側受信部によって受信された音声信号によって示された音声に重畳する発信側音声重畳部と、前記発信側音声重畳部によって生成された重畳音を出力する重畳音出力部とを含むことが望ましい。
【００２１】
また、上記通話制御方法において、前記音声メロディ出力開始ステップは、前記所定時間のメロディを出力している間に前記通話開始指示入力ステップで前記通話開始指示を受け付けた際に、前記所定時間のメロディの中で未出力のメロディを前記音声信号受信ステップで受信した音声信号によって示された音声に重畳する発信側音声重畳ステップと、前記発信側音声重畳ステップで生成した重畳音を出力する重畳音出力ステップとを含むことが望ましい。
【００２２】
上記の発明によれば、所定の時間のメロディを会話のＢＧＭ（バックグランドミュージック）として用いることが可能となる。
【００２３】
また、上記通話装置において、前記通話装置側出力部は、前記所定のメロディを出力するメロディ出力部と、前記通話装置側受信部によって受信された音声信号によって示された音声を出力する音声出力部とを含むことが望ましい。
【００２４】
上記の発明によれば、メロディと音声とを重畳するための構成を不要にできる。このため、通話装置の構成を簡略化することが可能となる。
【００２５】
また、本発明の通話制御システムは、受信側通話装置を指定した発信信号を発信側通話装置から受け付けた際に、前記発信信号によって指定された受信側通話装置に着信信号を送信し、かつ、前記発信側通話装置に所定のメロディを示すメロディ信号を供給する通話制御システムであって、所定時間のメロディを示すメロディ情報を格納するシステム側メロディ情報格納部と、前記発信信号を受け付ける発信信号受付部と、前記発信信号受付部によって前記発信信号が受け付けられた際に、該発信信号によって指定された受信側通話装置に着信信号を送信する着信信号送信部と、前記受信側通話装置から供給された音声信号を受信する受信側音声信号受信部と、前記着信信号送信部によって前記着信信号が送信された際に、前記発信側通話装置に対して、前記システム側メロディ情報格納部に格納されたメロディ情報によって示された所定時間のメロディを示すメロディ信号の送信を開始し、前記メロディ信号を送信している間に前記音声信号受信部によって前記受信側通話装置から供給された音声信号が受信された際に、前記発信側通話装置に対して、前記メロディ信号の中で未送信部分のメロディ信号を前記受信側通話装置から供給された音声信号に重畳した重畳音信号の送信を開始する発信側通話装置向け送信部とを含む。
【００２６】
また、本発明の通話制御方法は、受信側通話装置を指定した発信信号を発信側通話装置から受け付けた際に、前記発信信号によって指定された受信側通話装置に着信信号を送信し、かつ、前記発信側通話装置に所定のメロディを示すメロディ信号を供給する通話制御システムが行う通話制御方法であって、前記発信信号を受け付ける発信信号受付ステップと、前記発信信号受付ステップで前記発信信号を受け付けた際に、該発信信号によって指定された受信側通話装置に着信信号を送信する着信信号送信ステップと、前記着信信号送信ステップで前記着信信号を送信した際に、前記発信側通話装置に対して、システム側メロディ情報格納部に格納された所定時間のメロディを示すメロディ情報によって示された所定時間のメロディを示すメロディ信号の送信を開始するメロディ信号送信開始ステップと、前記受信側通話装置から供給された音声信号を受信する受信側音声信号受信ステップと、前記メロディ信号送信開始ステップで前記メロディ信号を送信している間に前記受信側音声信号受信ステップで前記受信側通話装置から供給された音声信号を受信した際に、前記発信側通話装置に対して、前記メロディ信号の中で未送信部分のメロディ信号を前記受信側通話装置から供給された音声信号に重畳した重畳音信号の送信を開始する発信側通話装置向け送信ステップとを含む。
【００２７】
上記の発明によれば、発信側通話装置にメロディ信号を送信している間に受信側通話装置から供給された音声信号が受信された際に、発信側通話装置に対して、メロディ信号の中で未送信部分のメロディ信号と受信側通話装置から供給された音声信号とを重畳した重畳音信号の送信が開始される。メロディ信号の送信は、着信信号が送信された際に開始される。このため、所定時間のメロディは、通話が開始されても会話のＢＧＭとして最後まで出力される。したがって、発信側通話装置のユーザは、発信に伴って出力される所定時間のメロディを最大限に楽しむことができる。
【００２８】
また、上記通話制御システムにおいて、前記発信側通話装置向け送信部は、前記音声信号受信部によって前記受信側通話装置から供給された音声信号が受信された後に出力するメロディ信号によって示されるメロディの音量を、前記音声信号受信部によって前記受信側通話装置から供給された音声信号が受信されたメロディ信号によって示されるメロディの音量より小さくすることが望ましい。
【００２９】
また、通話制御方法において、前記発信側通話装置向け送信ステップは、前記音声信号受信ステップで前記受信側通話装置から供給された音声信号が受信された後に出力するメロディ信号によって示されるメロディの音量を、前記音声信号受信ステップで前記受信側通話装置から供給された音声信号が受信されたメロディ信号によって示されるメロディの音量より小さくすることが望ましい。
【００３０】
上記の発明によれば、所定時間のメロディが、会話の妨げになることを防止することが可能となる。
【００３１】
また、上記通話制御システムにおいて、前記発信側通話装置向け送信部は、前記メロディ信号を送信している間に前記受信側音声信号受信部によって前記受信側通話装置から供給された音声信号が受信された際に、前記メロディ信号の中で未送信部分のメロディ信号を前記受信側通話装置から供給された音声信号に重畳して重畳音信号を生成する受信側音声重畳部と、前記受信側音声重畳部によって生成された重畳音信号を前記発信側通話装置に送信する受信側音声信号送信部とを含むことが望ましい。
【００３２】
また、上記通話制御方法において、前記発信側通話装置向け送信ステップは、前記メロディ信号を送信している間に前記受信側音声信号受信ステップで前記受信側通話装置から供給された音声信号を受信した際に、前記メロディ信号の中で未送信部分のメロディ信号を前記受信側通話装置から供給された音声信号に重畳して重畳音信号を生成する受信側音声重畳ステップと、前記受信側音声重畳ステップで生成された重畳音信号を前記発信側通話装置に送信する受信側音声信号送信ステップとを含むことが望ましい。
【００３３】
上記の発明によれば、通話制御システムが重畳音信号を生成する。このため、例えば受信側通話装置が重畳音信号を生成し、生成した重畳音信号を通話制御システムを介して発信側通話装置に送信する必要がない。
【００３４】
また、上記通話制御システムにおいて、前記メロディ情報は、前記受信側通話装置のユーザによって任意に設定され、前記所望のメロディの曲名または前記所望のメロディの購入先を前記発信側通話装置に送信するメロディ関連情報送信部をさらに含むことが望ましい。
【００３５】
また、上記通話制御方法において、前記メロディ情報は、前記受信側通話装置のユーザによって任意に設定され、前記所望のメロディの曲名または前記所望のメロディの購入先を前記発信側通話装置に送信するメロディ関連情報送信ステップをさらに含むことが望ましい。
【００３６】
上記の発明によれば、発信側通話装置のユーザは、受信側通話装置のユーザによって任意に設定された所望のメロディの曲名またはその購入先を知ることが可能となる。したがって、所望のメロディの購買を促進することが可能となる。
【００３７】
また、本発明の通話管理システムは、請求項１または２に記載の通話装置と、前記通話装置を受信側通話装置として用いる請求項５または６に記載の通話制御システムとを含む通話管理システムであって、前記通話装置側メロディ情報格納部は、前記メロディ情報として、前記システム側メロディ情報格納部に格納されたメロディ情報と同一のメロディ情報を格納する。
【００３８】
また、本発明の通話制御方法は、請求項１４または１５に記載の通話制御方法を実行する通話装置と、前記通話装置を前記受信側通話装置として用いる請求項１７または１８に記載の通話制御方法を実行する通話制御システムとを含む通話管理システムが行う通話制御方法であって、前記通話装置側メロディ情報格納部は、前記メロディ情報として、前記システム側メロディ情報格納部に格納されたメロディ情報と同一のメロディ情報を格納する。
【００３９】
上記の発明によれば、着信信号が受信側通話装置に送信された際に、受信側通話装置において所望のメロディの出力が開始され、かつ、通話制御システムにおいて所望のメロディを示すメロディ信号が発信側通話装置に送信される。このため、受信側通話装置と発信側通話装置とから同じ所望のメロディが同じタイミングで最後まで出力される。よって、受信側通話装置のユーザと発信側通話装置のユーザは離れた場所にいても、お互いに同じメロディを最初から最後まで楽しむことが可能になる。
【００４０】
また、本発明の通話管理システムは、請求項３に記載の通話装置と、前記通話装置を受信側通話装置として用いる請求項５または６に記載の通話制御システムとを含む通話管理システムにおいて、前記受信側通話装置は、前記通話開始指示入力部によって前記通話開始指示が受け付けられた際に、受信側の音声を受け付ける受信側音声受付部と、前記通話装置側出力部が前記所定時間のメロディを出力している間に前記通話開始指示入力部によって前記通話開始指示が受け付けられた際に前記所定時間のメロディの中で前記通話装置側出力部から未出力のメロディを前記受信側音声受付部によって受け付けられた受信側の音声に重畳する受信者側音声重畳部と、前記受信側音声重畳部の出力を前記通話制御システムに送信する受信側音声信号送信部とをさらに含み、前記システム側メロディ情報格納部は、前記メロディ情報として、前記通話装置側メロディ情報格納部に格納されたメロディ情報と同一のメロディ情報を格納し、前記受信側音声信号受信部は、前記受信側音声信号送信部から出力される受信側音声重畳部の出力を受信し、前記発信側通話装置向け送信部は、前記所定時間のメロディを送信している間に前記音声信号受信部によって前記受信側音声重畳部の出力が受信された際に、前記発信側通話装置に対して、前記受信側音声重畳部の出力を送信する。
【００４１】
また、本発明の通話制御方法は、請求項１６に記載の通話制御方法を実行する通話装置と、前記通話装置を前記受信側通話装置として用いる請求項１７または１８に記載の通話制御方法を実行する通話制御システムとを含む通話管理システムが行う通話制御方法であって、前記通話開始指示入力ステップで前記通話開始指示が受け付けられた際に、受信側の音声を受け付ける受信側音声受付ステップと、前記メロディ出力開始ステップで所定時間のメロディを出力している間に前記通話開始指示入力ステップで前記通話開始指示を受け付けた際に前記所定時間のメロディの中で未出力のメロディを前記受信側音声受付ステップで受け付けた受信側の音声に重畳する受信者側音声重畳ステップと、前記受信側音声重畳ステップで生成した出力を前記通話制御システムに送信する受信側音声信号送信ステップとをさらに含み、前記システム側メロディ情報格納部は、前記メロディ情報として、前記通話装置側メロディ情報格納部に格納されたメロディ情報と同一のメロディ情報を格納し、前記受信側音声信号受信ステップは、前記受信側音声信号送信ステップで送信される受信側音声重畳ステップの出力を受信し、前記発信側通話装置向け送信ステップは、前記所定時間のメロディを送信している間に前記音声信号受信ステップで前記受信側音声重畳ステップの出力を受信した際に、前記発信側通話装置に対して、前記受信側音声重畳ステップの出力を送信する。
【００４２】
上記の発明によれば、通話開始後、受信側通話装置がメロディと音声との重畳を行う。このため、通話制御システムは、通話開始後にメロディと音声との重畳を行う必要がなくなり、通話制御システムの負荷が少なくなる。
【００４３】
また、本発明の通話管理システムは、請求項１または２に記載の通話装置と、前記通話装置を受信側通話装置として用いる請求項７に記載の通話制御システムとを含む通話管理システムにおいて、前記通話制御システムは、発信者側の音声を示す音声信号を受け付ける発信者側音声受付部と、前記発信側通話装置向け送信部が前記所定時間のメロディを前記発信側通話装置に送信している間に前記受信側音声信号受信部によって前記受信側通話装置から供給された音声信号が受信された際に、前記所定時間のメロディの中で未送信のメロディを前記発信側通話装置から供給された音声信号に重畳する発信者側音声重畳部と、前記受信者側通話装置に対して、前記発信者側音声重畳部によって生成された重畳音を示す重畳音信号を送信する発信者側重畳信号送信部とをさらに含み、前記通話装置側メロディ情報格納部は、前記メロディ情報として、前記システム側メロディ情報格納部に格納されたメロディ情報と同一のメロディ情報を格納し、前記通話装置側受信部は、前記発信者側重畳信号送信部から送信された重畳音信号を受信し、前記通話装置側出力部は、前記所定時間のメロディを出力している間に前記通話開始指示入力部によって前記通話開始指示が受け付けられた際に、前記通話装置側受信部によって受信された重畳音信号に基づいて前記所定時間のメロディの中で未出力のメロディの出力および前記通話装置側受信部によって受信された音声信号によって示された音声の出力を開始する。
【００４４】
また、本発明の通話制御方法は、請求項１４または１５に記載の通話制御方法を実行する通話装置と、前記通話装置を前記受信側通話装置として用いる請求項１９に記載の通話制御方法を実行する通話制御システムとを含む通話管理システムが行う通話制御方法であって、発信者側の音声を示す音声信号を受け付ける発信者側音声受付ステップと、前記発信側通話装置向け送信ステップが前記所定時間のメロディを前記発信側通話装置に送信している間に前記受信側音声信号受信ステップで前記受信側通話装置から供給された音声信号を受信した際に、前記所定時間のメロディの中で未送信のメロディを前記発信側通話装置から供給された音声信号に重畳する発信者側音声重畳ステップと、前記受信者側通話装置に対して、前記発信者側音声重畳ステップで生成した重畳音を示す重畳音信号を送信する発信者側重畳信号送信ステップとをさらに含み、前記通話装置側メロディ情報格納部は、前記メロディ情報として、前記システム側メロディ情報格納部に格納されたメロディ情報と同一のメロディ情報を格納し、前記通話装置側受信ステップは、前記発信者側重畳信号送信ステップで送信された重畳音信号を受信し、前記通話装置側出力ステップは、前記所定時間のメロディを出力している間に前記通話開始指示入力ステップで前記通話開始指示を受け付けた際に、前記通話装置側受信ステップで受信した重畳音信号に基づいて前記所定時間のメロディの中で未出力のメロディの出力および前記通話装置側受信ステップで受信した音声信号によって示された音声の出力を開始する。
【００４５】
上記の発明によれば、通話開始後、通話制御システムがメロディと音声との重畳を行う。このため、受信側通話装置は、通話開始後にメロディと音声との重畳を行う必要がなくなり、受信側通話装置の負荷が少なくなる。
【００４６】
また、本発明の通話管理システムは、請求項３に記載の通話装置と、前記通話装置を受信側通話装置として用いる請求項７に記載の通話制御システムとを含む通話管理システムであって、前記通話装置側メロディ情報格納部が、前記メロディ情報として、前記システム側メロディ情報格納部に格納されたメロディ情報と同一のメロディ情報を格納する。
【００４７】
また、本発明の通話管理方法は、請求項１６に記載の通話制御方法を実行する通話装置と、前記通話装置を前記受信側通話装置として用いる請求項１９に記載の通話制御方法を実行する通話制御システムとを含む通話管理システムが行う通話制御方法であって、前記通話装置側メロディ情報格納部が、前記メロディ情報として、前記システム側メロディ情報格納部に格納されたメロディ情報と同一のメロディ情報を格納する。
【００４８】
上記の発明によれば、通話開始後、通話制御システムと受信側通話装置とがメロディと音声との重畳を行う。このため、通話開始後に受信側通話装置と通話制御システムの一方のみがメロディと音声との重畳を行うことによって処理の負担が大きくなることを回避することが可能となる。
【００４９】
また、本発明の通話制御システムは、着信信号を受信した際に所定のメロディを出力する受信側通話装置を指定した発信信号を発信側通話装置から受け付けた際に、前記発信信号によって指定された受信側通話装置に着信信号を送信し、かつ、前記発信側通話装置に前記所定のメロディを示すメロディ信号を供給する通話制御システムであって、前記所定のメロディを示すメロディ情報を格納するシステム側メロディ情報格納部と、前記発信信号を受け付ける発信信号受付部と、前記発信信号受付部によって前記発信信号が受け付けられた際に、該発信信号によって指定された受信側通話装置に着信信号を送信する着信信号送信部と、前記着信信号送信部からの前記着信信号の送信に同期して、前記発信側通話装置に対して、前記システム側メロディ情報格納部に格納されたメロディ情報によって示された所定時間のメロディを示すメロディ信号の送信を開始する発信側通話装置向け送信部とを含む。
【００５０】
また、本発明の通話制御方法は、着信信号を受信した際に所定のメロディを出力する受信側通話装置を指定した発信信号を発信側通話装置から受け付けた際に、前記発信信号によって指定された受信側通話装置に着信信号を送信し、かつ、前記発信側通話装置に前記所定のメロディを示すメロディ信号を供給する通話制御システムが行う通話制御方法であって、前記発信信号を受け付ける発信信号受付ステップと、前記発信信号受付ステップで前記発信信号を受け付けられた際に、該発信信号によって指定された受信側通話装置に着信信号を送信する着信信号送信ステップと、前記着信信号送信ステップでの前記着信信号の送信に同期して、前記発信側通話装置に対して、システム側メロディ情報格納部に格納された所定のメロディを示すメロディ情報に応じたメロディ信号の送信を開始する発信側通話装置向け送信ステップとを含む。
【００５１】
上記の発明によれば、受信側通話装置と発信側通話装置とから同じメロディが同じタイミングで出力される。したがって、受信者が、発信者がリングバックメロディをどこまで聞いたか判断することが可能となる。
【発明の効果】
【００５２】
本発明によれば、通話装置のユーザは、所定時間のメロディを最大限に楽しむことができる。
【００５３】
また、本発明によれば、発信側通話装置のユーザは、所定時間のメロディを最大限に楽しむことができる。
【００５４】
また、本発明によれば、受信側通話装置のユーザと発信側通話装置のユーザは離れた場所にいても、お互いに同じメロディを最初から最後まで楽しむことが可能になる。
【発明を実施するための最良の形態】
【００５５】
以下、本発明の一実施例を図面を参照して説明する。
【００５６】
図１は、本発明の一実施例の通話システムを示したブロック図である。図１において、通話システムは、第１の端末１と、第２の端末２と、電話通信網３とを含む。
【００５７】
第１の端末１および第２の端末２は通話装置である。本実施例では、第１の端末１および第２の端末２として携帯電話端末が用いられる。なお、第１の端末１および第２の端末２は、携帯電話端末に限るものではなく適宜変更可能である。本実施例では、第２の端末２は、第１の端末１と同一の構成である。図１では、２台の端末しか示されていないが、端末の台数は２台に限らず適宜変更可である。
【００５８】
通話制御システムとしての電話通信網３は、例えば携帯電話交換網である。通話管理システムは、電話通信網３と、第１の端末１または第２の端末とを含む。
【００５９】
図２は、本発明の一実施例の通話装置としての第１の端末１を示したブロック図である。なお、第２の端末２は第１の端末１と同じ構成なので、第２の端末２の説明は省略する。
【００６０】
図２において、第１の端末１は、アンテナ１ａと、ベースバンド処理部１ｂと、制御部１ｃと、メロディ情報格納部１ｄと、音源部１ｅと、着信メロディ用スピーカー１ｆと、重畳部１ｇと、音声スピーカー１ｈと、重畳部１ｉと、マイク１ｊと、操作部１ｋとを含む。音源部１ｅと、着信メロディ用スピーカー１ｆと、重畳部１ｇと、音声スピーカー１ｈとは、出力部１ｌに含まれる。第１の端末１は、通話を開始しても着信メロディを継続して出力する。また、第２の端末２は、第１の端末１と同一構成であるので、通話を開始しても着信メロディを継続して出力する。
【００６１】
アンテナ１ａは、電話通信網３から送信される無線信号を受信し、また、電話通信網３に対して無線信号を送信する。
【００６２】
受信部としてのベースバンド処理部１ｂは、アンテナ１ａによって受信された無線信号から着信信号およびベースバンド信号とを検出する。ベースバンド処理部１ｂによって検出されるベースバンド信号は、第１の端末１と接続される端末（例えば、第２の端末２）に入力された音声を示す音声信号を含む。ベースバンド処理部１ｂは、検出した着信信号を制御部１ｃに供給し、検出したベースバンド信号を重畳部１ｇに供給する。また、ベースバンド処理部１ｂは、重畳部１ｉの出力を変調し、変調した重畳部１ｉの出力をアンテナ１ａから無線信号で送信させる。
【００６３】
なお、ベースバンド処理部１ｂは、待ち受け状態のときは着信信号の検出のみを行う。また、ベースバンド処理部１ｂは、制御部１ｃの制御に基づいて、ベースバンド信号の検出処理および重畳部１ｉの出力を変調し変調した重畳部１ｉの出力をアンテナ１ａから無線信号で送信させる送信処理とを含むベースバンド処理を開始する。
【００６４】
メロディ情報格納部１ｄは、所定時間のメロディ（着信メロディ）を示すメロディ情報を格納する。なお、メロディ情報格納部１ｄに格納されるメロディ情報は、第１の端末１のユーザによって任意に設定される。例えば、第１の端末１のユーザが所定の販売サイトから購入したメロディ情報がメロディ情報格納部１ｄに格納される。
【００６５】
制御部１ｃは、コンピュータとしてのＣＰＵ１ｃ１と、コンピュータによって読み取り可能な記録媒体としてのメモリ１ｃ２とを含む。メモリ１ｃ２は、第１の端末１の動作を規定するプログラムを記録している。ＣＰＵ１ｃ１は、メモリ１ｃ２に記録されているプログラムを読み込み、読み込んだプログラムを実行することによって、第１の端末１を制御する。なお、以下では、ＣＰＵ１ｃ１が実行する処理を、制御部１ｃが実行する処理として説明する。
【００６６】
制御部１ｃは、ベースバンド処理部１ｂから着信信号が供給されると、メロディ情報格納部１ｄに格納されているメロディ情報を読み出し、読み出したメロディ情報を音源部１ｅに供給する。
【００６７】
音源部１ｅは、制御部１ｃからメロディ情報が供給されると、供給されたメロディ情報によって示された所定時間のメロディを示すメロディ信号の出力を開始する。音源部１ｅは、メロディ信号を着信メロディ用スピーカー１ｆと重畳部１ｇおよび重畳部１ｉに供給する。
【００６８】
着信メロディ用スピーカー１ｆは、音源部１ｅから供給されたメロディ信号に示されるメロディすなわち着信メロディの出力を開始する。
【００６９】
通話開始指示入力部としての操作部１ｋは、ユーザからの通話開始指示を受け付ける。制御部１ｃは、操作部１ｋによって通話開始指示が受け付けられると、ベースバンド処理部１ｂにベースバンド処理を開始させる。さらに、制御部１ｃは、操作部１ｋによって通話開始指示が受け付けられると、重畳部１ｇおよび重畳部１ｉとを動作させる。
【００７０】
重畳部１ｇは、制御部１ｃによって動作が制御され、ベースバンド処理部１ｂから供給された音声信号に音源部１ｅから供給されたメロディ信号を重畳する。音声スピーカー１ｈは、重畳部１ｇによって生成された重畳音を出力する。したがって、音声スピーカー１ｈは、着信メロディ用スピーカー１ｆが所定時間のメロディを出力している間に操作部１ｋによって通話開始指示が受け付けられた際に、所定時間のメロディの中で未出力のメロディがベースバンド処理部１ｂによって受信された音声信号によって示された音声に重畳された音の出力を開始する。
【００７１】
なお、重畳部１ｇは、ベースバンド処理部１ｂから供給された音声信号に音源部１ｅから供給されたメロディ信号を重畳する際、操作部１ｋによって通話開始指示が受け付けられた後に音声スピーカー１ｈが出力するメロディ信号に応じたメロディの音量を、操作部１ｋによって通話開始指示が受け付けられる前に着信メロディ用スピーカー１ｆから出力されたメロディ信号に応じたメロディの音量より小さくする。
【００７２】
マイク１ｊは、第１の端末１のユーザの音声を受け付け、受け付けた音声を音声信号に変換する。重畳部１ｉは、制御部１ｃによって動作が制御され、マイク１ｊから供給される音声信号を音源部１ｅから供給されたメロディ信号に重畳する。重畳部１ｉは、音声信号とメロディ信号との重畳信号をベースバンド処理部１ｂに供給する。
【００７３】
図３は、第１の端末１の動作を説明するためのフローチャートである。以下、図３を参照して受信側端末として機能する第１の端末１の動作を説明する。
【００７４】
本実施例では、電話通信網３は、第１の端末１に対して、メロディ信号が重畳されていない発信側の音声信号および着信信号とを供給し、また、第１の端末１から供給される音を示す信号に対してメロディを重畳することなく、第１の端末１から供給される音を示す信号を発信側の端末に供給する。なお、電話通信網３は、発信側の端末に対して、通話が開始されるまでの間、リングバックメロディを示すメロディ信号を送信してもよい。
【００７５】
所定時間のメロディ（着信メロディ）を示すメロディ情報が、第１の端末１のユーザによる操作部１ｋの操作に基づいて、メロディ情報格納部１ｄに格納される（ステップ３ａ）。
【００７６】
待ち受け状態のときにベースバンド処理部１ｂがアンテナ１ａによって受信された無線信号から着信信号を検出すると（ステップ３ｂ）、ベースバンド処理部１ｂは、検出した着信信号を制御部１ｃに供給する。
【００７７】
制御部１ｃは、ベースバンド処理部１ｂから着信信号が供給されると、メロディ情報格納部１ｄに格納されているメロディ情報を読み出し、読み出したメロディ情報を音源部１ｅに供給する。
【００７８】
音源部１ｅは、制御部１ｃからメロディ情報が供給されると、供給されたメロディ情報によって示された所定時間のメロディを示すメロディ信号の出力を開始する。音源部１ｅは、メロディ信号を着信メロディ用スピーカー１ｆと重畳部１ｇおよび重畳部１ｉに供給する。
【００７９】
着信メロディ用スピーカー１ｆは、音源部１ｅから供給されたメロディ信号に示されるメロディの出力を開始する。したがって、着信メロディ用スピーカー１ｆは、ベースバンド処理部１ｂによって着信信号が受信された際に、メロディ情報格納部１ｄに格納されたメロディ情報によって示された所定時間のメロディ（着信メロディ）の出力を開始する（ステップ３ｃ）。
【００８０】
なお、重畳部１ｇおよび重畳部１ｉにメロディ信号が供給されるが、重畳部１ｇおよび重畳部１ｉは制御部１ｃから動作の指示を受けていないため動作しておらず、かつ、ベースバンド処理部１ｂがベースバンド処理を行っていないので、音声スピーカー１ｈから音は出力されず、かつ重畳部１ｉの出力は送信されない。
【００８１】
第１の端末１のユーザは、着信メロディ用スピーカー１ｆから着信メロディの出力が開始されることによって着信を認識する。第１の端末１のユーザは、通話を開始するために操作部１ｋを操作して通話開始指示を入力する（ステップ３ｄ）。
【００８２】
制御部１ｃは、操作部１ｋによって通話開始指示が受け付けられると、ベースバンド処理部１ｂにベースバンド処理を開始させる。さらに、制御部１ｃは、重畳部１ｇおよび重畳部１ｉとを動作させる。
【００８３】
重畳部１ｇは、ベースバンド処理部１ｂから供給された音声信号に音源部１ｅから供給されたメロディ信号を重畳する。音声スピーカー１ｈは、重畳部１ｇによって生成された重畳音を出力する。
【００８４】
したがって、音声スピーカー１ｈは、着信メロディ用スピーカー１ｆが所定時間のメロディを出力している間に操作部１ｋによって通話開始指示が受け付けられた際に、所定時間のメロディの中で未出力のメロディの出力およびベースバンド処理部１ｂによって受信された音声信号によって示された音声の出力を開始する（ステップ３ｅ）。
【００８５】
なお、制御部１ｃは、操作部１ｋによって通話開始指示が受け付けられた際、音源部１ｅを制御して、音源部１ｅから着信メロディ用スピーカー１ｆへのメロディ信号の供給を停止させることが望ましい。
【００８６】
なお、重畳部１ｇは、ベースバンド処理部１ｂから供給された音声信号に音源部１ｅから供給されたメロディ信号を重畳する際、操作部１ｋによって通話開始指示が受け付けられた後に音声スピーカー１ｈが出力するメロディ信号に応じたメロディの音量を、操作部１ｋによって通話開始指示が受け付けられる前に着信メロディ用スピーカー１ｆから出力されたメロディの音量より小さくする。
【００８７】
重畳部１ｉは、マイク１ｊから供給される音声信号に音源部１ｅから供給されたメロディ信号を重畳する。重畳部１ｉは、音声信号とメロディ信号との重畳信号をベースバンド処理部１ｂに供給する。このため、第１の端末１に発信を行った通話装置は、第１の端末１で出力されているメロディと同じメロディを、第１の端末１に入力された音声と一緒に聞くことが可能となる。なお、重畳部１ｉは省略されてもよい。
【００８８】
音源部１ｅは、メロディ情報によって示された所定時間のメロディを示すメロディ信号の出力が終了すると、メロディ信号の出力を停止する。このため、メロディ信号の出力が停止した後は、ベースバンド処理部１ｂから供給された音声信号に応じた音声のみが音声スピーカー１ｈから出力される（ステップ３ｆ）。また、メロディ信号の出力が停止した後は、マイク１ｊから入力された音声に応じた音声信号のみが、第１の端末１に発信を行った通話装置に送信される。
【００８９】
本実施例によれば、着信メロディは、通話が開始されても最後まで出力される。したがって、第１の端末１のユーザは、着信時から出力される着信メロディを最大限に楽しむことができる。
【００９０】
また、通話が開始された後の着信メロディの音量は通話開始前の着信メロディの音量より小さくなるので、着信メロディが通話の妨げになることを防止することが可能となる。
【００９１】
また、着信メロディが発信側の音声に重畳されて音声スピーカー１ｈから出力されるので、着信メロディを会話のＢＧＭとして用いることが可能となる。
【００９２】
なお、制御部１ｃが、操作部１ｋによって通話開始指示が受け付けられた後に着信メロディ用スピーカー１ｆから出力されるメロディの音量が操作部１ｋによって通話開始指示が受け付けられる前に着信メロディ用スピーカー１ｆから出力されたメロディの音量よりも小さくなるように音源部１ｅを制御するようにしてもよい。この場合、重畳部１ｇを省略し、ベースバンド処理部１ｂから出力される音声信号に応じた音声のみを音声スピーカー１ｈが出力するようにしてもよい。この場合、重畳部１ｇを省略できるので、第１の端末１の構成を簡略化することが可能となる。
【００９３】
図４は、本発明の一実施例の通話システムを示したブロック図である。なお、図４において、図１に示したものと同一構成のものには同一符号を付してある。図４では、第１の端末１が発信側端末であり、第２の端末２が受信側端末である。また、第１の端末１および第２の端末２は、図２に示した構成から重畳部１ｇおよび重畳部１ｉとを省略した構成とする。
【００９４】
図４において、電話通信網３は、個人データベース３ａと、音楽データベース３ｂと、受信部３ｃと、制御部３ｄと、接続部３ｅと、音源部３ｆと、接続部３ｇと、接続部３ｈと、重畳部３ｉと、接続部３ｊと、接続部３ｋと、接続部３ｌと、送信部３ｍと、受信部３ｎと、重畳部３ｏと、送信部３ｐとを含む。個人データベース３ａと音楽データベース３ｂとは、電話通信網３側のメロディ情報格納部３ｑに含まれる。
【００９５】
電話通信網３は、通話が開始されても発信側端末である第１の端末１にリングバックメロディを継続して供給する。
【００９６】
メロディ情報格納部３ｑは、受信側端末である第２の端末２のユーザによって設定されたリングバックメロディの設定内容およびそのリングバックメロディ（所定時間のメロディ）を示すメロディ情報を記録している。
【００９７】
具体的には、個人データベース３ａは、受信側端末である第２の端末２のユーザによって設定されたリングバックメロディの設定内容を記録している。例えば、個人データベース３ａには、登録者ａの端末（例えば、第１の端末１）から第２の端末２に向けて発信がなされた際に、登録者ａの端末に楽曲Ａという所定時間のメロディをリングバックメロディとして出力させるという旨の設定が記録される。音楽データベース３ｂは、個人データベース３ａに記録された楽曲（所定時間のメロディ）を示すメロディ情報を記録する。
【００９８】
受信部３ｃは、第１の端末１から送信される無線信号を受信する。例えば、受信部３ｃは、第１の端末１から送信される発信信号を受信する。なお、発信信号は、受信側端末および発信側端末とを示す情報を有する。また、受信部３ｃは、第１の端末１から送信される音声信号を受信する。受信部３ｃは、受信した発信信号を制御部３ｄに供給し、受信した音声信号を接続部３ｅに供給する。
【００９９】
制御部３ｄは、コンピュータとしてのＣＰＵ３ｄ１と、コンピュータによって読み取り可能な記録媒体としてのメモリ３ｄ２とを含む。メモリ３ｄ２は、電話通信網３の動作を規定するプログラムを記録している。ＣＰＵ３ｄ１は、メモリ３ｄ２に記録されているプログラムを読み込み、読み込んだプログラムを実行することによって、電話通信網３を制御する。なお、以下では、ＣＰＵ３ｄ１が実行する処理を、制御部３ｄが実行する処理として説明する。
【０１００】
制御部３ｄは、受信部３ｃから発信信号が供給されると、第２の端末２に対する着信信号を送信部３ｐに送信する。送信部３ｐは、第２の端末２に対して着信信号を送信する。
【０１０１】
また、制御部３ｄは、受信部３ｃから発信信号が供給されると、接続部３ｇおよび接続部３ｋに接続信号を供給し、接続部３ｅと接続部３ｈと接続部３ｊおよび接続部３ｌに切断信号を供給する。
【０１０２】
接続部３ｅと、接続部３ｇと、接続部３ｈと、接続部３ｊと、接続部３ｋおよび接続部３ｌのそれぞれは、スイッチのように動作し、制御部３ｄから接続信号が供給されるとオンし、制御部３ｄから切断信号が供給されるとオフする。
【０１０３】
さらに、制御部３ｄは、受信部３ｃから発信信号が供給されると、発信信号によって示された受信側端末および発信側端末に対応するメロディ情報をメロディ情報格納部３ｑから読み取る。具体的には、制御部３ｄは、受信部３ｃから発信信号が供給されると、発信信号によって示された受信側端末および発信側端末に対応する楽音を個人データベース３ａから読み取る。続いて、制御部３ｄは、個人データベース３ａから読み出した楽音を示すメロディ情報を音楽データベース３ｂから読み取る。制御部３ｄは、メロディ情報格納部３ｑ（具体的には、音楽データベース３ｂ）から読み取ったメロディ情報を音源部３ｆに供給する。
【０１０４】
音源部３ｆは、制御部３ｄからメロディ情報が供給されると、供給されたメロディ情報によって示された所定時間のメロディを示すメロディ信号の出力を開始する。音源部３ｆは、メロディ信号を接続部３ｇおよび接続部３ｈに供給する。
【０１０５】
接続部３ｇは、制御部３ｄによって接続信号が供給された際に、音源部３ｆの出力を重畳部３ｉに供給する。よって、接続部３ｇは、受信部３ｃが発信信号を受信した際、音源部３ｆの出力を重畳部３ｉに供給する。
【０１０６】
重畳部３ｉは、接続部３ｊの出力に接続部３ｇの出力を重畳する。受信部３ｃが発信信号を受信した際には、接続部３ｊには制御部３ｄから切断信号が供給されているので、重畳部３ｉは、接続部３ｇの出力すなわちメロディ信号のみを出力する。
【０１０７】
接続部３ｋは、制御部３ｄによって接続信号が供給された際に、重畳部３ｉの出力を送信部３ｍに供給する。受信部３ｃが発信信号を受信した際には、接続部３ｋには制御部３ｄから接続信号が供給されているので、接続部３ｋは、重畳部３ｉの出力すなわちメロディ信号のみを送信部３ｍに出力する。
【０１０８】
送信部３ｍは、接続部３ｋの出力を第１の端末１に送信する。したがって、受信部３ｃが第１の端末１から発信信号を受信した際には、送信部３ｍから第１の端末１にメロディ信号が送信される。よって、第２の端末２と接続するために発信信号を送信した第１の端末１は、第２の端末２のユーザによって設定されたリングバックメロディを出力する。
【０１０９】
受信部３ｎは、第２の端末２から送信される音声信号を受信する。受信部３ｎは、第２の端末２から受信した音声信号を接続部３ｊおよび制御部３ｄに供給する。
【０１１０】
制御部３ｄは、受信部３ｎから音声信号の供給を受けると、接続部３ｊと、接続部３ｈと、接続部３ｅおよび接続部３ｌに接続信号を供給する。
【０１１１】
接続部３ｊは、制御部３ｄから接続信号を受けると、受信部３ｎから出力される第２の端末２からの音声信号を重畳部３ｉに供給する。重畳部３ｉは、第２の端末２から供給された音声信号に音源部３ｆから供給されたメロディ信号を重畳する。重畳部３ｉの出力は、接続部３ｋおよび送信部３ｍを介して第１の端末１に送信される。よって、第２の端末２と接続するために発信信号を送信した第１の端末１は、第２の端末２との間で通話が開始されても、リングバックメロディを出力し続ける。
【０１１２】
また、接続部３ｈと接続部３ｅとがオンすることにより、重畳部３ｏは、第１の端末１から送信された音声信号に音源部３ｆからのメロディ信号を重畳する。重畳部３ｏの出力は、接続部３ｌおよび送信部３ｐとを介して第２の端末２に送信される。よって、第２の端末２は、第１の端末１からリングバックメロディとして出力されているメロディを、第１の端末１のユーザが発した音声とともに聞くことが可能になる。
【０１１３】
図５は、電話通信網３の動作を説明するためのフローチャートである。以下、図５を参照して電話通信網３の動作を説明する。
【０１１４】
第２の端末２は、第２の端末２のユーザによる操作部１ｋの操作に応じて、第１の端末１に対するリングバックメロディの設定を行う。なお、第１の端末１に対するリングバックメロディの設定とは、第１の端末１から第２の端末２に発信がなされた際に第１の端末１がリングバックトーンの代わりに出力するリングバックメロディを、そのメロディの名称を用いて設定することである。第２の端末２は、第１の端末１に対するリングバックメロディの設定を電話通信網３に送信する。
【０１１５】
電話通信網３の受信部３ｎは、第２の端末２から送信された第１の端末１に対するリングバックメロディの設定を受信し、受信した第１の端末１に対するリングバックメロディの設定を制御部３ｄに供給する。制御部３ｄは、受信部３ｎから供給された第１の端末１に対するリングバックメロディの設定をメロディ情報格納部３ｑ（具体的には、個人データベース３ａ）に格納する（ステップ５ａ）。
【０１１６】
受信部３ｃは、第１の端末１から第２の端末２に対する発信信号を受信すると、受信した発信信号を制御部３ｄに供給する。
【０１１７】
制御部３ｄは、受信部３ｃから発信信号が供給されると、第２の端末２に対する着信信号を送信部３ｐに送信する。送信部３ｐは、第２の端末２に対して着信信号を送信する（ステップ５ｂ）。
【０１１８】
さらに、制御部３ｄは、受信部３ｃから発信信号が供給されると、接続部３ｇおよび接続部３ｋに接続信号を供給し、接続部３ｅと接続部３ｈと接続部３ｊおよび接続部３ｌに切断信号を供給する。
【０１１９】
さらに、制御部３ｄは、受信部３ｃから発信信号が供給されると、発信信号によって示された受信側端末および発信側端末に対応するメロディ情報をメロディ情報格納部３ｑから読み取る。具体的には、制御部３ｄは、受信部３ｃから発信信号が供給されると、発信信号によって示された受信側端末および発信側端末に対応する楽音を個人データベース３ａから読み取る。制御部３ｄは、個人データベース３ａから読み出した楽音を示すメロディ情報を音楽データベース３ｂから読み取る。制御部３ｄは、メロディ情報格納部３ｑ（具体的には音楽データベース３ｂ）から読み取ったメロディ情報を音源部３ｆに供給する。
【０１２０】
音源部３ｆは、制御部３ｄからメロディ情報が供給されると、供給されたメロディ情報によって示された所定時間のメロディを示すメロディ信号の出力を開始する。音源部３ｆは、メロディ信号を接続部３ｇおよび接続部３ｈに供給する。
【０１２１】
このとき、接続部３ｇには接続信号が供給されているので、接続部３ｇは、受信部３ｃが発信信号を受信した際、音源部３ｆの出力を重畳部３ｉに供給する。受信部３ｃが発信信号を受信した際には、接続部３ｊには制御部３ｄから切断信号が供給されているので、重畳部３ｉは、接続部３ｇの出力すなわちメロディ信号のみを出力する。
【０１２２】
受信部３ｃが発信信号を受信した際には、接続部３ｋには制御部３ｄから接続信号が供給されているので、接続部３ｋは、重畳部３ｉの出力すなわちメロディ信号のみを送信部３ｍに出力する。
【０１２３】
送信部３ｍは、接続部３ｋの出力を第１の端末１に送信する。したがって、受信部３ｃが第１の端末１から発信信号を受信した際には、送信部３ｍから第１の端末１にメロディ信号が送信される。よって、第２の端末２と接続するために発信信号を送信した第１の端末１は、第２の端末２のユーザによって設定されたリングバックメロディを出力する（ステップ５ｃ）。
【０１２４】
第２の端末２は、第２の端末２のユーザによって通話開始ボタンとしての操作部が操作されると、第１の端末１との通話を開始する（ステップ５ｄ）。
【０１２５】
受信部３ｎは、第２の端末２から送信される音声信号を受信する。受信部３ｎは、第２の端末２から受信した音声信号を接続部３ｊおよび制御部３ｄに供給する。制御部３ｄは、受信部３ｎから音声信号が供給されると、接続部３ｊと、接続部３ｈと、接続部３ｅおよび接続部３ｌに接続信号を供給する。
【０１２６】
接続部３ｊは、制御部３ｄから接続信号を受けると、受信部３ｎから出力される第２の端末２からの音声信号を重畳部３ｉに供給する。重畳部３ｉは、第２の端末２からの音声信号に音源部３ｆからのメロディ信号を重畳する。重畳部３ｉの出力は、接続部３ｋおよび送信部３ｍを介して第１の端末１に送信される（ステップ５ｅ）。よって、第２の端末２と接続するために発信信号を送信した第１の端末１は、第２の端末２の間で通話が開始されても、リングバックメロディを出力し続ける。
【０１２７】
音源部３ｆは、メロディ情報によって示された所定時間のメロディを示すメロディ信号の出力が終了すると、メロディ信号の出力を停止する（ステップ５ｆ）。このため、メロディ信号の出力が停止した後は、第１の端末１と第２の端末２との通話は、メロディが重畳されない通常の状態となる。
【０１２８】
本実施例によれば、リングバックメロディは、通話が開始されても最後まで出力される。したがって、発信側である第１の端末１のユーザは、発信に応じて出力されるリングバックメロディを最大限に楽しむことができる。
【０１２９】
また、本実施例によれば、通話制御システムがリングバックメロディと音声との重畳音を示す信号を生成する。このため、例えば、図２に示したように、受信側通話装置が重畳音信号を生成し、生成した重畳音信号を電話通信網を介して発信側通話装置に送信する必要がない。
【０１３０】
なお、メロディ情報格納部３ｑに、リングバックメロディの楽音名およびその購入先が格納され、制御部３ｄは、リングバックメロディを発信側端末に送信する際、リングバックメロディの楽音名およびその購入先またはそれらのいずれか一方をメロディ情報格納部３ｑから読み出し、読み出したリングバックメロディの楽音名およびその購入先またはそれらのいずれか一方を送信部３ｍから発信側端末に送信させてもよい。この場合、発信側端末のユーザは、受信側端末のユーザによって任意に設定された所望のメロディの曲名またはその購入先を知ることが可能となる。したがって、所望のメロディの購買を促進することが可能となる。
【０１３１】
また、制御部３ｄは、受信部３ｎによって第２の端末２から供給された音声信号が受信された後に送信部３ｍが出力するメロディ信号によって示されるメロディの音量が、受信部３ｎによって第２の端末２から供給された音声信号が受信される前に送信部３ｍが出力したメロディ信号によって示されるメロディの音量より小さくなるように、音源部３ｆを制御してもよい。この場合、リングバックメロディが会話の妨げになることを防止することが可能となる。
【０１３２】
また、着信側の着信メロディの動作と発信側のリングバックメロディの動作とを着信側のユーザが任意に設定できるようにしてもよい。
【０１３３】
例えば、着信側のユーザが、通話開始後も着信メロディの出力を継続するか否かと、通話開始後もリングバックメロディの出力を継続するか否かと、着信メロディとリングバックメロディの曲目を同じにしかつ着信メロディの出力タイミングとリングバックメロディの出力タイミングとを同期させるか否かを任意に設定できるようにしてもよい。
【０１３４】
例えば、着信側のユーザが、通話開始後も着信メロディの出力を継続するか否かと、通話開始後もリングバックメロディの出力を継続するか否かと、着信メロディとリングバックメロディの曲目を同じにしかつ着信メロディの出力タイミングとリングバックメロディの出力タイミングとを同期させるか否かを示す情報を、着信側の端末装置に設定し、その設定内容を着信側の端末から電話通信網３に送信する。電話通信網３は、その送信された情報をメロディ情報格納部３ｑ（例えば、個人データベース３ａ）に格納する。
【０１３５】
また、例えば、着信側のユーザが、通話開始後も着信メロディの出力を継続するか否かと、通話開始後もリングバックメロディの出力を継続するか否かと、着信メロディとリングバックメロディの曲目を同じにしかつ着信メロディの出力タイミングとリングバックメロディの出力タイミングとを同期させるか否かを示す情報を、インターネット経由で電話通信網３のメロディ情報格納部３ｑ（例えば、個人データベース３ａ）に設定する。電話通信網３はその設定内容を着信側の端末に送信し、着信側の端末のメロディ情報格納部１ｄに格納させる。
【０１３６】
図６は、着信側のユーザによって着信側の端末に設定された、通話開始後も着信メロディの出力を継続するか否かと、通話開始後もリングバックメロディの出力を継続するか否かと、着信メロディとリングバックメロディの曲目を同じにしかつ着信メロディの出力タイミングとリングバックメロディの出力タイミングとを同期させるか否かを示す情報の一例を示した説明図である。例えば、図６に示した情報は、着信側の端末のメロディ情報格納部１ｄに格納される。
【０１３７】
図７は、電話通信網３のメロディ情報格納部３ｑ（例えば、個人データベース３ａ）に格納させた、通話開始後も着信メロディの出力を継続するか否かと、通話開始後もリングバックメロディの出力を継続するか否かと、着信メロディとリングバックメロディの曲目を同じにしかつ着信メロディの出力タイミングとリングバックメロディの出力タイミングとを同期させるか否かを示す情報の一例を示した説明図である。
【０１３８】
図６および図７において、〇印で示された箇所が、着信側のユーザによって有効として設定された箇所を示す。
【０１３９】
例えば、登録者ａからの着信に対しては、楽曲Ａの着信メロディが通話開始後も継続され、楽曲Ａのリングバックメロディは通話開始とともに終了し、楽曲Ａの着信メロディと楽曲Ａのリングバックメロディとの同期をとる同期処理は行われない。
【０１４０】
また、登録者ｃからの着信に対しては、楽曲Ｃの着信メロディの出力開始タイミングと楽曲Ｃのリングバックメロディの出力開始タイミングとを合わせる同期処理が行われ、楽曲Ｃの着信メロディが通話開始とともに終了し、楽曲Ｃのリングバックメロディが通話開始とともに終了する。
【０１４１】
なお、図６および図７のような設定が、着信側の端末と電話通信網とになされる場合、着信側の端末のメロディ情報格納部１ｄと電話通信網３のメロディ情報格納部３ｑ（具体的には、音楽データベース３ｂ）には同じメロディ情報が格納される。
【０１４２】
制御部３ｄは、例えは、図７に示したようにメロディ情報格納部３ｑ（具体的には個人データベース３ａ）に格納された設定情報に基づいて、接続部３ｈと接続部３ｇとのオンオフ、および、送信部３ｐから送信させる着信信号の送信タイミングと音源部３ｆへのメロディ情報の供給タイミングとの関係を制御することによって、通話開始後も着信メロディの出力を継続するか否かと、通話開始後もリングバックメロディの出力を継続するか否かと、着信メロディとリングバックメロディとを同じ曲にしかつ着信メロディの出力タイミングとリングバックメロディの出力タイミングとを同期させるか否かを制御する。
【０１４３】
例えば、通話開始後も着信メロディの出力を継続する場合、制御部３ｄは、受信部３ｎが音声信号を受信すると接続部３ｈをオンする。なお、第２の端末２が図２に示したような通話開始後も着信メロディの出力を継続することが可能な端末である場合は、制御部３ｄは、接続部３ｈをオンしない。
【０１４４】
また、通話開始後、着信メロディの出力を停止する場合、第２の端末２は通話開始後に着信メロディの出力を停止し、制御部３ｄは接続部３ｈをオンしない。
【０１４５】
また、通話開始後もリングバックメロディの出力を継続する場合、制御部３ｄは、受信部３ｎが音声信号を受信しても接続部３ｇのオンを継続する。なお、第２の端末２が図２に示したような通話開始後に音声とともにメロディを出力することが可能な端末である場合は、制御部３ｄは、受信部３ｎが音声信号を受信したら接続部３ｇをオフする。
【０１４６】
また、通話開始後、リングバックメロディの出力を停止する場合、第２の端末２は通話開始後に第２の端末２に入力される音声信号にメロディを重畳することを行わず、制御部３ｄは、受信部３ｎが音声信号を受信したら接続部３ｇをオフする。
【０１４７】
図８は、着信メロディとリングバックメロディとの同期をとる動作を説明するためのフローチャートである。以下、図８を参照して、着信メロディとリングバックメロディとの同期をとる動作を説明する。なお、着信側の第２の端末２は、例えば、図２に示した端末でもよく、通話開始と同時に着信メロディが停止する端末であってもよい。本実施例では、着信側の第２の端末２として、図２に示した端末が用いられる。
【０１４８】
着信側の第２の端末２は、第２の端末２のユーザによって操作部１ｋが操作されることによって、例えば、図６に示すような着信メロディとリングバックメロディとの設定を行う（ステップ８ａ）。この設定は、第２の端末２内のメロディ情報格納部１ｄに格納される。
【０１４９】
第２の端末２は、第２の端末２のユーザによって操作部１ｋが操作されることによって、着信メロディとリングバックメロディとの設定を電話通信網（ＮＷ）３に送信する。電話通信網３の制御部３ｄは、受信部３ｎによって受信された着信メロディとリングバックメロディとの設定をメロディ情報格納部３ｑ（具体的には個人データベース３ａ）に格納する（ステップ８ｂ）。
【０１５０】
その後、受信部３ｃが第１の端末１から第２の端末２に対する発信信号を受信すると、受信した発信信号を制御部３ｄに供給する（ステップ８ｃ）。
【０１５１】
制御部３ｄは、受信部３ｃから発信信号が供給されると、接続部３ｇおよび接続部３ｋに接続信号を供給し、接続部３ｅと接続部３ｈと接続部３ｊおよび接続部３ｌに切断信号を供給する。
【０１５２】
さらに、制御部３ｄは、受信部３ｃから発信信号が供給されると、発信信号によって示された受信側端末（受信者）および発信側端末（発信者を示した登録者）に対応する情報をメロディ情報格納部３ｑ（具体的には個人データベース３ａ）から読み取る（ステップ８ｄ）。
【０１５３】
制御部３ｄは、メロディ情報格納部３ｑ（具体的には個人データベース３ａ）において、受信側端末および発信側端末に対応する情報として、シンクロが設定されているか確認する（ステップ８ｅ）。
【０１５４】
制御部３ｄは、メロディ情報格納部３ｑ（具体的には個人データベース３ａ）において、受信側端末および発信側端末に対応する情報として、シンクロが設定されていない場合、個人データベース３ａにおいて、受信側端末および発信側端末に対応する情報として設定されている情報に応じた動作を実行する。
【０１５５】
制御部３ｄは、メロディ情報格納部３ｑ（具体的には個人データベース３ａ）において、受信側端末および発信側端末に対応する情報として、シンクロが設定されている場合、第２の端末２に対する着信信号を送信部３ｐに送信する。送信部３ｐは、第２の端末２に対する着信信号を送信する（ステップ８ｇ）。第２の端末２は、着信信号を受信すると、第２の端末２内のメモリ情報格納部１ｄに設定された図６に示す情報においてシンクロ設定に関連づけられている楽曲を示すメロディを着信メロディとして出力する（ステップ８ｊ）。
【０１５６】
また、制御部３ｄは、メロディ情報格納部３ｑ（具体的には個人データベース３ａ）において、受信側端末および発信側端末に対応する情報として、シンクロが設定されている場合、シンクロ設定に関連づけられている楽曲を示すメロディ情報をメロディ情報格納部３ｑ（具体的には音楽データベース３ｂ）から読み取る。制御部３ｄは、メロディ情報格納部３ｑ（具体的には音楽データベース３ｂ）から読み取ったメロディ情報を着信信号の送信に同期したタイミングで音源部３ｆに供給し、上記と同様に第１の端末１がリングバックメロディを出力するように、メロディ信号を第１の端末１に送信する。
【０１５７】
第１の端末１は、メロディ信号を受信すると、リングバックメロディを出力する（ステップ８ｉ）。
【０１５８】
本実施例では、シンクロ設定がなされている場合、電話通信網３は、第１の端末１に対する着信信号の送信と音源部３ｆからのメロディ信号の発生タイミングとを同期させる。第１の端末１から出力されるリングバックメロディと第２の端末２から出力される着信メロディは同じメロディなので、受信者は、着信メロディを聞くことによって、発信者がリングバックメロディをどこまで聞いたか判断することが可能になり、発信者がリングバックメロディを十分に楽しんだか否かを判断することが可能になる。
【０１５９】
図９は、着信メロディとリングバックメロディの曲目を同じにしかつ着信メロディとリングバックメロディとの同期をとり、さらに通話を開始しても着信メロディの出力とリングバックメロディの出力とを継続する動作を説明するためのフローチャートである。なお、図９において、図８に示した動作と同一の動作には、同一符号を付してある。また、本実施例では、第２の端末２として、図２に示した端末が用いられる。
【０１６０】
以下、図９を参照して着信メロディとリングバックメロディの曲目を同じにしかつ着信メロディとリングバックメロディとの同期をとり、さらに通話を開始しても着信メロディの出力とリングバックメロディの出力とを継続する動作を説明する。なお、図９において、ステップ８ａからステップ８ｊまでの動作は、図８に示した動作と同様なので説明は省略する。
【０１６１】
第２の端末２で着信メロディが出力され、第１の端末１で着信メロディと同じ曲名のリングバックメロディが出力されている際に、第２の端末２の操作部１ｋが第２の端末２のユーザによって操作され、第２の端末２と第１の端末１との間で通話が開始されると（ステップ９ｋ、９ｌ）、第２の端末２の制御部１ｃは、音源１ｅの動作を停止させて、着信メロディの出力を停止する（ステップ９ｍ）。
【０１６２】
電話通信網３の制御部３ｄは、受信部３ｎが音声信号を受信すると、接続部３ｊと、接続部３ｈと、接続部３ｅおよび接続部３ｌに接続信号を供給する。
【０１６３】
重畳部３ｉは、第２の端末２からの音声信号に音源部３ｆからのメロディ信号を重畳する。送信部３ｍは、重畳部３ｉの出力を第１の端末１に送信する。よって、第１の端末１のユーザは、第２の端末２のユーザとの通話を開始しても、未出力のリングバックメロディを通話のＢＧＭのように聞くことが可能になる。
【０１６４】
また、重畳部３ｏは、第１の端末１からの音声信号に音源部３ｆからのメロディ信号を重畳する。送信部３ｐは、重畳部３ｏの出力を第２の端末２に送信する。よって、第２の端末２のユーザは、第１の端末１のユーザとの通話を開始しても、未出力の着信メロディを通話のＢＧＭのように聞くことが可能になる（ステップ９ｎ）。
【０１６５】
音源部３ｆは、メロディ情報によって示された所定時間のメロディを示すメロディ信号の出力が終了すると、メロディ信号の出力を停止する（ステップ９ｏ）。このため、メロディ信号の出力が停止した後は、第１の端末１と第２の端末２との通話は、メロディが重畳されない通常の状態となる。
【０１６６】
本実施例によれば、第１の端末１と第２の端末とから同じメロディが同じタイミングで最後まで出力される。よって、第１の端末１のユーザと第２の端末２のユーザは離れた場所にいても、お互いに同じメロディを最初から最後まで楽しむことが可能になる。
【０１６７】
また、本実施例によれば、通話開始後、電話通信網３がメロディと音声との重畳を行う。このため、受信側端末は、通話開始後にメロディと音声との重畳を行う必要がなくなり、受信側端末の負荷が少なくなる。
【０１６８】
なお、第１の端末１と第２の端末とから同じメロディを同じタイミングで最後まで出力する手法は、上記に限るものではなく適宜変更可能である。
【０１６９】
例えば、第２の端末２と第１の端末１との間で通話が開始されても、第２の端末２の制御部１ｃは音源１ｅの動作を停止させず、かつ、第２の端末２の構成から重畳部１ｉを省略してマイク１ｊの出力をベースバンド処理部１ｂに入力させ、電話通信網３の制御部３ｄが、受信部３ｎが音声信号を受信した際に、接続部３ｈに接続信号を供給せずに、接続部３ｊと接続部３ｅおよび接続部３ｌに接続信号を供給し、メロディを重畳せずに第１の端末１からの音声信号を第２の端末２に送信させるようにしてもよい。この場合、通話開始後、電話通信網３と受信側端末とがメロディと音声との重畳を行う。このため、通話開始後に受信側端末と電話通信網３との一方のみがメロディと音声との重畳を行うことによって処理の負担が大きくなることを回避することが可能となる。
【０１７０】
また、例えば、電話通信網３の制御部３ｄが、受信部３ｎが音声信号を受信した際に、接続部３ｈに接続信号を供給せずに、接続部３ｊと接続部３ｅおよび接続部３ｌに接続信号を供給し、接続部３ｇに切断信号を供給することによって、電話通信網３が音声信号とメロディ信号との重畳を行わないようにし、第２の端末２と第１の端末１との間で通話が開始されても、第２の端末２の制御部１ｃは音源１ｅの動作を停止させず、第２の端末２の重畳部１ｇと重畳部１ｉとで音声とメロディとの重畳を行うようにしてもよい。この場合、通話開始後、受信側端末がメロディと音声との重畳を行う。このため、電話通信網３は、通話開始後にメロディと音声との重畳を行う必要がなくなり、電話通信網３の負荷が少なくなる。
【０１７１】
なお、電話通信網３は、発信信号の受信に応じて、着信メロディの出力を開始させる着信信号の送信と、リングバックメロディ用のメロディ信号の送信とを行うので、図８または図９に示したような特別な同期処理を行わなくても、着信メロディとリングバックメロディとが同じメロディであれば、第１の端末１と第２の端末とから同じメロディが同じタイミングで出力される。
【０１７２】
以上説明した各実施例において、図示した構成は単なる一例であって、本発明はその構成に限定されるものではない。
【０１７３】
例えば、音源部１ｅと音源部３ｆとは、所定時間のメロディを示すメロディ信号を連続して出力するようにしてもよい。具体的には、音源部１ｅと音源部３ｆとは、所定時間のメロディを示すメロディ信号を所定の回数繰り返すようにしてもよいし、また、メロディ情報格納部１ｄおよびメロディ情報格納部３ｑから任意に抽出された別のメロディを示す複数のメロディ信号を連続して出力してもよい。この場合、制御部１ｃまたは制御部３ｄは、受信側通話装置によって通話開始指示がなされた際に出力している所定時間のメロディを最後まで出力させることが望ましい。
【図面の簡単な説明】
【０１７４】
【図１】本発明の一実施例の通話システムを示したブロック図である。
【図２】本発明の一実施例の通話装置を示したブロック図である。
【図３】図２に示した通話装置の動作を説明するためのフローチャートである。
【図４】本発明の一実施例の通話システムを示したブロック図である。
【図５】通話システムの動作を説明するためのフローチャートである。
【図６】受信側端末に設定される設定情報の一例を示した説明図である。
【図７】電話通信網に設定される設定情報の一例を示した説明図である。
【図８】通話システムの動作を説明するためのフローチャートである。
【図９】通話システムの動作を説明するためのフローチャートである。
【符号の説明】
【０１７５】
１      第１の端末
１ａ    アンテナ
１ｂ    ベースバンド受信部
１ｃ    制御部
１ｃ１  ＣＰＵ
１ｃ２  メモリ
１ｄ    メロディ情報格納部
１ｅ    音源部
１ｆ    着信メロディ用スピーカー
１ｇ    重畳部
１ｈ    音声スピーカー
１ｉ    重畳部
１ｊ    マイク
１ｋ    操作部
２      第２の端末
３      電話通信網
３ａ    個人データベース
３ｂ    音楽データベース
３ｃ    受信部
３ｄ    制御部
３ｄ１  ＣＰＵ
３ｄ２  メモリ
３ｅ    接続部
３ｆ    音源部
３ｇ    接続部
３ｈ    接続部
３ｉ    重畳部
３ｊ    接続部
３ｋ    接続部
３ｌ    接続部
３ｍ    送信部
３ｎ    受信部
３ｏ    重畳部
３ｐ    送信部
３ｑ    メロディ情報格納部
【図１】
2005260574.tif 000003
【図２】
2005260574.tif 000004
【図３】
2005260574.tif 000005
【図４】
2005260574.tif 000006
【図５】
2005260574.tif 000007
【図６】
2005260574.tif 000008
【図７】
2005260574.tif 000009
【図８】
2005260574.tif 000010
【図９】
2005260574.tif 000011